(57)【特許請求の範囲】
【請求項１】
凹んで底部に開口部を有する水槽を形成し、かつ前記開口部が掃除コラムの表面に密封的に設けられた水槽ケースと、
前記掃除コラムの表面に対応して前記水槽内に敷設された濾過部材と
絞り部材と密封部材を含み、
前記絞り部材と前記密封部材が前記水槽内に並設され、かついずれも前記掃除コラムの表面を押圧することによって密封的な組み合わせを形成し、前記濾過部材が前記絞り部材と前記密封部材との間の隙間内に設けられることを特徴とする床面掃除機の水槽構造。
【請求項２】
前記密封部材の前記掃除コラムの表面との接触部が弾性材料で製造された突起状であることを特徴とする請求項１に記載の水槽構造。
【請求項３】
前記絞り部材が硬質材料で製造され、掃除コラムの表面との接触部の外壁が円弧状であることを特徴とする請求項１または２に記載の水槽構造。
【請求項４】
前記濾過部材が濾過網であり、前記濾過網の両端がそれぞれ前記絞り部材と前記密封部材により水槽ケースに押圧されることを特徴とする請求項１〜３のいずれかに記載の水槽構造。
【請求項５】
ベースケースと、
床面を清掃し、前記ベースケースに取り付けられ、前記ベースケースが凹んで底部に開口部を有する水槽を形成し、かつ前記開口部が掃除コラムの表面に密封的に設けられた掃除コラムと、
前記掃除コラムの表面に対応して前記水槽内に敷設された濾過部材と
絞り部材と密封部材を含み、
前記絞り部材と前記密封部材が前記水槽内に並設され、かついずれも前記掃除コラムの表面を押圧することによって密封的な組み合わせを形成し、前記濾過部材が前記絞り部材と前記密封部材との間の隙間内に設けられることを特徴とする床面掃除機。
【請求項６】
前記密封部材の掃除コラムの表面との接触部が弾性材料で製造された突起状であることを特徴とする請求項５に記載の床面掃除機。
【請求項７】
前記絞り部材が硬質材料で製造され、前記掃除コラムの表面との接触部の外壁が円弧状であることを特徴とする請求項５または６に記載の床面掃除機。
【請求項８】
前記濾過部材が濾過網であり、前記濾過網の両端がそれぞれ前記絞り部材と前記密封部材により水槽ケースに押圧されることを特徴とする請求項５〜７のいずれかに記載の床面掃除機。
【請求項９】
前記水槽に連通して清浄な水を貯蔵する清水タンクと、
前記清水タンク内の水を前記水槽に供給する水ポンプと、
を備えることを特徴とする請求項５〜８のいずれかに記載の床面掃除機。
【請求項１０】
前記水槽に連通して汚水を貯蔵する汚水タンクと、
前記汚水タンク内を負圧にして前記水槽内の汚水を前記汚水タンクに吸引するエアポンプと、
を備えることを特徴とする請求項５〜９のいずれかに記載の床面掃除機。
【請求項１１】
前記汚水タンクは、前記エアポンプに連通する抽気口と、汚水を収容する収容チャンバーと、前記抽気口と前記収容チャンバーを隔てる水飛び防止部材を備え、
前記水飛び防止部材は、緩衝貯蔵チャンバーと、前記抽気口に連通する第１の通気口と、前記収容チャンバーに連通する第２の通気口とを有し、
前記第１の通気口と前記第２の通気口が位置ずれして配置されることを特徴とする請求項１０に記載の床面掃除機。
【発明の詳細な説明】
【技術分野】
【０００１】
本願は、掃除装置に関し、特に床面掃除機の水槽構造に関する。
【背景技術】
【０００２】
人間が初期に使用していた床面掃除用具は、主に人間の手動操作により掃除作業を行う箒、モップ、フロアワイパーなどである。科学技術の進歩に伴い、人々の床面掃除用具への要求も徐々に高くなり、最初には、電力によりエネルギーを供給し、負圧を生成することにより床面上のごみ、灰塵などを吸引する集塵機が現れている。しかし、集塵機は、その動作原理に制限されるため、床面に強固に付着しているごみと汚れを掃除できないので、新しい床面掃除機も現れている。該新しい床面掃除機は、モータの運転により掃除コラム（掃除ロール）を床面を拭くように駆動するとともに、該床面掃除機内に給水システムも配置されて、掃除コラムを洗浄することにより、床面に対する掃除を完璧に実現する。
【０００３】
掃除コラムを洗浄するために、通常、水槽が設けられ、該水槽が給水システムと連通し、清水を提供して掃除コラムを洗浄し、掃除コラムを洗浄した後の汚水が水槽内から吸引されるが、掃除コラム上のごみが水槽内に入りやすく、したがって、給水システムの水路の目詰まりを起こす。
【発明の概要】
【課題を解決するための手段】
【０００４】
本願は、新型の水槽構造及びこのような水槽構造を用いた床面掃除機を提供する。
本願に係る床面掃除機の水槽構造は、
凹んで水槽を形成し、かつ前記水槽が掃除コラムの表面に密封的に反転してかけられた水槽ケースと、
掃除コラムの表面に対応して水槽内に敷設された濾過部材とを含む。
前記水槽構造の更なる改良として、さらに絞り部材と密封部材を含み、前記絞り部材と密封部材が水槽内に並設され、かついずれも掃除コラムの表面を押圧することによって密封的な組み合わせを形成し、前記濾過部材が絞り部材と密封部材との間の隙間内に設けられる。
前記水槽構造の更なる改良として、前記密封部材の掃除コラムの表面との接触部は、弾性材料で製造された突起状である。
前記水槽構造の更なる改良として、前記濾過部材は、濾過網であり、前記濾過網の両端がそれぞれ絞り部材と密封部材により水槽ケースに押圧される。
前記水槽構造の更なる改良として、前記絞り部材は、硬質材料で製造され、掃除コラムの表面との接触部の外壁が円弧状である。
【０００５】
本願に係ると湖面掃除機は、
ベースケースと、    
床面を清掃し、ベースケースに取り付けられ、前記ベースケースが凹んで水槽を形成し、かつ前記水槽が掃除コラムの表面に密封的に反転してかけられた掃除コラムと、
掃除コラムの表面に対応して水槽内に敷設された濾過部材とを含む。
前記床面掃除機の更なる改良として、さらに絞り部材と密封部材を含み、前記絞り部材と密封部材が水槽内に並設され、かついずれも掃除コラムの表面を押圧することによって密封的な組み合わせを形成し、前記濾過部材が絞り部材と密封部材との間の隙間内に設けられる。
【０００６】
前記床面掃除機の更なる改良として、前記密封部材の掃除コラムの表面との接触部は、弾性材料で製造された突起状である。
前記床面掃除機の更なる改良として、前記濾過部材は、濾過網であり、前記濾過網の両端がそれぞれ絞り部材と密封部材により水槽ケースに押圧される。
前記床面掃除機の更なる改良として、前記絞り部材は、硬質材料で製造され、掃除コラムの表面との接触部の外壁が円弧状である。
【０００７】
本願は以下のような有益な効果を有する。
本願に係る水槽構造は、水槽及び濾過部材を含む。該水槽は、掃除コラムの表面に密封的に反転してかけられ、清水を盛って掃除コラムを洗浄するために用いられる。濾過部材は、掃除コラムの表面に対応して水槽内に敷設され、したがって、掃除コラム上の固形ごみが濾過部材の外に止められ、水槽内に入ることができず、それにより、ごみによる給水システム水路の目詰まりを回避する。
【図面の簡単な説明】
【０００８】
【図１】本願の床面掃除機の一実施例の全体図である。
【図２】図１に示す実施例を別の角度から見る全体図である。
【図３】図１に示す実施例の分解概略図である。
【図４】床面掃除機のベース部分の断面概略図である。
【図５】床面掃除機の掃除コラムアセンブリの断面概略図である。
【図６】図５におけるＡ部分の拡大図である。
【図７】と湖面掃除機の掃除コラムと清掃機行との組み合わせの概略図である。
【図８】床面掃除機のごみ箱の概略図である。
【図９】床面掃除機の水槽構造（掃除コラムアセンブリを含む）の概略図である。
【図１０】床面掃除機の水槽構造（掃除コラムアセンブリを含まない）の概略図である。
【図１１】床面掃除機の給水機構の概略図である。
【図１２】床面掃除機の清水タンクの概略図である。
【図１３】床面掃除機の汚水タンクの概略図である。
【図１４】床面掃除機の水ポンプの概略図である。
【図１５】床面掃除機のエアポンプの概略図である。
【図１６】床面掃除機の汚水タンクの概略斜視断面図である。
【図１７】床面掃除機の汚水タンクの別の断面における概略断面図である。
【図１８】床面掃除機の水飛び防止部材の概略断面図である。
【図１９】床面掃除機のスポンジコラムの概略斜視断面図である。
【図２０】床面掃除機のスポンジコラムの概略斜視断面図である。
【発明を実施するための形態】
【０００９】
以下、具体的な実施形態と図面を合わせて本発明をさらに詳細に説明する。本願は、本実施例に記載の実施形態に限られず、種々の異なる態様で実現することができる。以下の具体的な実施形態は、本願の開示の内容をより明晰かつ徹底的に理解しやすくするために提供したものであり、方向を指示する上、下、左、右などの用語は、示された構造の対応する図面での位置について言ったものにすぎない。
【００１０】
しかしながら、当業者であれば、そのうちの１つ又は複数の具体的な詳細の記載を省略してもよく、他の方法、アセンブリ又は材料を用いてもよいと意識するべきである。いくつかの例において、いくつかの実施形態は、記述されていないか又は詳細に記述されていない。
また、本明細書に記載の技術的特徴、技術的解決手段は、１つ以上の実施例において、任意の適切な態様で組み合わせてもよい。
【実施例１】
【００１１】
本実施例１は、床面掃除機における給水システムの目詰まりを回避するために、新規水槽構造を設計する。
【００１２】
該水槽構造は水槽ケース及び濾過部材を含む。
床面を清掃する過程において、掃除コラムの表面を定期的又は不定期的に洗浄する必要がある。該水槽ケースは、凹んで水槽を形成し、かつ水槽が掃除コラムの表面に密封的に反転してかけられる。水槽は、給水機構における清水タンク及び汚水タンクと連通し、清水タンクと汚水タンクにより清水を提供し汚水を吸引する。掃除コラムの表面は、水槽内の清水に接触して洗浄し、洗浄した後の汚水が水槽から吸引される。
【００１３】
掃除コラム上のごみが給水機構の水路、特に汚水水路に入ることを回避するために、該濾過部材は、掃除コラムの表面に対応して水槽内に敷設される。掃除コラムの表面に対応することは、掃除コラムの表面に貼り付けられることであってもよい。
水槽と掃除コラムの表面との密封は、様々な構造によって実現することができる。
【００１４】
本実施例では、絞り部材と密封部材との組み合わせを用い、該絞り部材と密封部材が水槽内に並設され、かついずれも掃除コラムの表面を押圧することによって密封的な組み合わせを形成し、濾過部材が絞り部材と密封部材との間の隙間内に設けられる。
【００１５】
さらに、密封部材の掃除コラムに対する抵抗を減少させるために、密封部材の掃除コラムの表面との接触部は、弾性材料で製造された突起状である。このように、密封部材の掃除コラムの表面との接触は、柔接触（soft contact）であり、密封部材の掃除コラムに対する抵抗を減少させるだけでなく、密封部材の密封効果を向上させることができる。
【００１６】
さらに、絞り部材は、掃除コラム上の水分を絞り出し、掃除コラムの出水槽の片側に位置し、該絞り部材が硬質材料で製造され、かつ掃除コラムの表面との接触部の外壁が円弧状であり、それにより、絞り過程がよりスムーズになるとともに、掃除コラムに対する抵抗を減少させる。
【００１７】
さらに、絞り部材と密封部材は、ネジにより水槽ケースにロックされ、濾過部材は濾過網であってもよい。濾過網の両端は、それぞれ絞り部材と密封部材により水槽ケースに押圧される。
【実施例２】
【００１８】
本実施例は、床面掃除機を提供する。
該床面掃除機は、ケースアセンブリ、掃除機構、給水機構、制御部及び接続機構を含む。
該ケースアセンブリは、床面掃除機の支持部であり、ベースとハンドルの２つの部分に分けられる。該ベースとハンドルは、接続機構により接続され、ユーザが本床面掃除機をうまく把持してより多くの角度での掃除を実現するために、このような接続は可動である。
該掃除機構は、床面を掃除するための主な部材であり、一般的にベースに取り付けられている。該給水機構は、清水タンクと汚水タンクを提供し、該清水タンクは、清潔な水源を貯蔵し、掃除機構と連通して動力部材により清水を掃除機構に送って、掃除機構を洗浄する。汚水タンクは、汚水タンクと連通する掃除機構からの汚水を貯蔵する。掃除機構内の汚水は、別の動力部材の作用下で汚水タンクに回収されて、床面掃除機の外部に流出することを回避する。
【００１９】
制御部は、主に制御回路と制御回路を支持する回路基板とを含み、他の部分の動作、例えば、掃除機構の運転と停止、給水機構の起動と停止、マンマシン・インタラクションの実現などに対して制御の役割を果たす。
理解しやすくするために、本実施例において、以下、いずれもベース側を前、ハンドル側を後として説明する。
【００２０】
具体的には、図１〜図３を参照すると、該ベースは、折り畳みケース１１０、ベースケース１２０、サイドカバー１３０及びベースのリアケース１４０を含み、該折り畳みケース１１０は、ベースケース１２０の上方に取り付けられ、ベースケース１２０に対して回転して開くことができる。ベースのリアケース１４０は、ベースケース１２０の後下方に取り付けられ、サイドカバー１３０は、ベースケース１２０の両側にかけられる。
【００２１】
さらに図１〜図３を参照すると、ハンドルは、把持部と本体部を含む。該把持部は、把持部の上部ケース１７０と把持部のリアケース１８０を含み、本体部は、本体部の上部ケース１５０と本体部のリアケース１６０を含む。把持部が本体部に取り付けられ、本体部が接続機構５００を介してベースと接続されることにより、ハンドルとベースとの接続が実現される。
【００２２】
図３〜図６を参照すると、該掃除機構は、掃除コラムアセンブリ２１０と、掃除コラムにあるごみを清掃する清掃機構２２０と、掃除コラムアセンブリにあるごみを回収するごみ箱２３０とを含む。
【００２３】
掃除コラムアセンブリ２１０は、床面に直接接触して床面のごみを清掃し、可撓性材料で製造される掃除コラムを含み、本実施例において、スポンジコラム２１１を掃除コラムの例とする。
掃除コラムアセンブリ２１０は、さらに、スポンジコラム２１１を支持するスリーブ２１３と、スポンジコラム２１１及びスリーブ２１３の回転を駆動する掃除動力装置２１２とを含む。
【００２４】
掃除動力装置２１２は、ベースケース１２０の床面に垂直な方向の側壁に取り付けられ、ねじで締め付けることができる。スポンジコラム２１１のスリーブ２１３は、掃除動力装置２１２の外側に嵌着され、取り外して交換できる。スポンジコラム２１１はスリーブ２１３に嵌着され、掃除動力装置２１２はスリーブ２１３の中に取り付けられ、掃除動力装置２１２は、モータであり、制御部により掃除動力装置２１２のオンオフと回転方向などを制御する。
【００２５】
図４を参照すると、該ごみ箱２３０は、スポンジコラム２１１の後下方に設置され、スポンジコラム２１１の回転に影響しない前提で、スポンジコラム２１１にできるだけ近接することにより、ごみがスポンジコラム２１１とごみ箱２３０との間の隙間から漏れることを回避する。
図７を参照すると、該清掃機構２２０は、回転体２２１と回転体２２１に設置された複数の清掃部材２２２とを含む。該回転体２２１は、清掃動力装置（清掃動力装置がモータあり、図示せず）によって駆動されて回転し、かつスポンジコラム２１１と同じ方向（時計回り又は逆時計回り）に回転する。該清掃部材２２２は、短冊状で、例えば、ブラッシ又は歯状物であり、回転体２２１と共に回転することができる。また、清掃部材２２２とスポンジコラム２１１は、ごみの体積よりも小さい隙間を有するか又は直接接触することにより、回転しながらスポンジコラム２１１にあるごみを清掃する。
【００２６】
清掃機構２２０は、スポンジコラム２１１の後上方、即ちごみ箱２３０の上方に設置されて、スポンジコラム２１１から清掃されたごみをごみ箱２３０内に落下させる。
図７を参照すると、スポンジコラム２１１にあるごみをより効率的に清掃するために、清掃部材２２２は、少なくとも２組設置され、各組が複数の清掃部材２２２を含み、かつ回転体２２１の回転中心線に沿って配列され、配列の長さは、スポンジコラム２１１の回転中心線における長さより小さいか、大きいか又は等しい長さを選択することができる。
【００２７】
また図７を参照すると、各組の清掃部材２２２の配列は、直線に沿って分布してもよく、また、各組の清掃部材２２２を波状に配列してもよいが、このような配列方式は、直線配列方式に比べて、清掃部材２２２がスポンジコラム２１１に与える抵抗を減少させ、エネルギー消費を減少させることができる。
【００２８】
さらに、図４と図８を参照すると、掃除機構において、床面掃除機の掃除効果を向上させるために、スポンジコラム２１１の後方にスクレーパー２４０が設置され、該スクレーパー２４０は、例えばゴムで製造された柔軟な先端２４１を有し、該先端２４１が床面に密着されることにより、ごみが床面掃除機の下方から漏れることを回避する。図４と図１０を参照すると、該スクレーパー２４０とスポンジコラム２１１との間に隙間が設置され、かつスクレーパー２４０のスポンジコラム２１１に向かっている外壁がスポンジコラム２１１に対応した円弧面に設計されることにより、該隙間は、ごみを入らせるようにガイドするガイドスロットとなる。
【００２９】
図３、図４、図９、及び図１１を参照すると、該給水機構は、洗浄チャンバー、清水タンク３１０、清水供給装置（本実施例では水ポンプ３３０）、汚水タンク３２０及び汚水回収装置（本実施例ではエアポンプ３４０）を含む。
洗浄チャンバーは、スポンジコラム２１１の回転軌跡に設置され、かつスポンジコラム２１１と密封的に組み合わせられ、洗浄チャンバー内に液体を収容して、スポンジコラム２１１を洗浄することができる。
本実施例において、図９、図１０を参照すると、本実施例に係る洗浄チャンバーは水槽構造であり、その他の実施例においてその他の態様のチャンバーであってもよい。該水槽３５１は、ベースケース１２０（水槽ケースに相当）の一部が凹んだことで形成され、床面掃除機全体の構造を簡略化することができる。ただし、その他の実施例において、該水槽３５１は独立した水槽ケースで形成されてもよい。
【００３０】
該水槽３５１は、スポンジコラム２１１に反転してかけられ、水槽３５１のスポンジコラム２１１と接触する箇所は密封を維持する。密封を実現するために、本実施例の例示的構造では、水槽３５１の両側に密封部材３５２と絞り部材３５３がねじにより締め付けられ、密封部材３５２が絞り部材３５３の後方に位置し、即ち、スポンジコラム２１１は、まず密封部材３５２に移動し、次に絞り部材３５３に移動する。該絞り部材３５３と密封部材３５２は、それぞれ水槽３５１とスポンジコラム２１１の密封構造となり、また、絞り部材３５３はスポンジコラム２１１内の水分を絞り出す役割もはたす。スポンジコラム２１１から絞り出された汚水は水槽３５１内に直接的に入り、汚水タンク３２０により吸引される。
【００３１】
より高い絞り効果を達成するために、絞り部材３５３は硬質材料で製造され、そのスポンジコラム２１１の表面と接触する部分の外壁が円弧形であり、例えば硬質プラスチック、金属などで製造された押圧バー又は軸状物などである。密封部材３５２は密封効果のみをはたし、図１１を参照すると、密封部材３５２のスポンジコラム２１１と接触する部分３５２１は、弾性材料で製造された突起状に設計され、その弾性は、スポンジコラム２１１内の汚水を水槽３５１の外に絞り出すことを回避することができる。
また、図９、図１０を参照すると、スポンジコラム２１１にある大きなごみが給水機構に入って、流路を詰まることを回避するために、水槽３５１内に、さらに、両端が絞り部材３５３と密封部材３５２により水槽３５１内に圧着される濾過網３５４を設置してもよい。
【００３２】
図３、図１１、図１２及び図１４を参照すると、清水タンク３１０の清水流出口３１１、水槽３５１の清水流入口（図示せず）は、水ポンプ３３０と互いに連通し、該水ポンプ３３０の入水口３３１が清水流出口３１１と連通し、出水口３３２が清水流入口と連通し、水ポンプ３３０の作用下で清水が清水流入口から水槽３５１に入り、かつスポンジコラム２１１を洗浄した後に水槽３５１の汚水流出口１２４１から流出する。
【００３３】
また、図３、図１１、図１３、及び図１５を参照すると、該汚水流出口１２４１、汚水タンク３２０の汚水流入口３２１１は、エアポンプ３４０と互いに連通する。具体的に、該エアポンプ３４０は汚水タンク３２０の抽気口３２１２と連通し、水槽３５１の汚水流出口１２４１は汚水タンク３２０の汚水流入口３２１１と連通する。該エアポンプ３４０は、汚水タンク３２０に対して抽気を行って、汚水タンク３２０内に負圧を生成することができ、該負圧により汚水タンク３２０は水槽３５１内から汚水を吸引することができる。エアポンプ３４０によって汚水を吸収する利点として、汚水タンク３２０の汚水吸引能力を容易に制御でき、実際の需要に応じて、柔軟に調節することができる。
当然のことながら、その他の実施例において、清水供給装置は、水ポンプ３３０に限定されず、その他の駆動装置である可能性もあり、例えば、該水ポンプ３３０のかわりにエアポンプを用いてもよく、該エアポンプは、水槽３５１と連通し、抽気して水槽３５１内の圧力を減少させることにより、清水タンク３１０から清水を吸引し、該原理は、上記汚水タンク３２０が汚水を回収する原理と類似している。
【００３４】
同様に、汚水回収装置は、エアポンプ３４０に限定されず、その他の駆動装置である可能性もあり、例えば、エアポンプ３４０のかわりに水ポンプを用いてもよく、該原理は、上記清水タンク３１０が清水を供給する原理と類似している。
さらに、図３、図１１、図１３及び図１５を参照すると、エアポンプ３４０の吸気口３４１が汚水タンク３２０と連通するので、エアポンプ３４０が吸気する場合、汚水タンク３２０が揺れれば、飛び散った水沫がエアポンプ３４０に吸引されやすい。
【００３５】
本実施例の汚水タンク３２０への改良として、具体的に、汚水タンク３２０は、汚水を収容する収容チャンバーと少なくとも１つの水飛び防止部材とを有するように設計され、該水飛び防止部材が抽気口３２１２と収容チャンバーを隔て、水飛び防止部材に収容チャンバーと連通する通気口が開設され、汚水タンク３２０の抽気口３２１２が水飛び防止部材の通気口と連通することにより、飛び散った水沫の大部分は水飛び防止部材により遮断されるが、エアポンプ３４０の抽気に影響せず、水飛び防止部材の数が多ければ多いほど、その水飛び防止効果が高くなる。
【００３６】
具体的に、図１６、図１７及び図１８を参照すると、汚水タンク３２０は、汚水流入口３２１１及び抽気口３２１２が設置されたチャンバーと、液位検出装置３２２と、水飛び防止部材３２３とを含む。該液位検出装置３２２と水飛び防止部材３２３は、いずれもチャンバー内に取り付けられ、液位検出装置３２２は、汚水タンク３２０内の汚水の液量を検出し、制御部に接続され、一旦、汚水が最大値を超えると、スイッチがトリガーされて信号を制御部に送信する。
【００３７】
該水飛び防止部材３２３は、第１の緩衝貯蔵チャンバー３２３４を有し、その第１の緩衝貯蔵チャンバー３２３４にそれぞれ上下に設置された第１の通気口３２３１と第２の通気口３２３２が開設され、該第１の通気口３２３１と第２の通気口３２３２は異なる方向に設置され、第１の通気口３２３１が縦方向に沿って設置されるが、第２の通気口３２３２が収容チャンバー３２３５の流入口に向かって横方向に沿って設置される。このような位置ずれして設置されることは、第２の通気口３２３２から入った液体が第１の通気口３２３１に入ることを防止することができる。
【００３８】
水飛び防止部材３２３がチャンバー内に取り付けられると、汚水タンク３２０のチャンバーを分割して１つの第２の緩衝貯蔵チャンバー３２３３と１つの収容チャンバー３２３５を形式し、収容チャンバー３２３５と第１の緩衝貯蔵チャンバー３２３４は第２の通気口３２３２を介して連通し、第２の緩衝貯蔵チャンバー３２３３と第１の緩衝貯蔵チャンバー３２３４は第１の通気口３２３１を介して連通し、抽気口３２１２は第２の緩衝貯蔵チャンバー３２３３と連通する。抽気口３２１２は横方向に沿って設置される。これにより、多重の水飛び防止により、エアポンプ３４０に吸引される水はほとんどない。
【００３９】
また、汚水タンク３２０から飛び散った水沫がエアポンプ３４０に吸引されるという問題に対して、本実施例は、さらにその他の面で改良し、即ちエアポンプ３４０の排气口３４２とスポンジコラム２１１又は水槽３５１を連通させ、エアポンプ３４０の吸収した液体をスポンジコラム２１１又は水槽３５１に排出することができる。
【００４０】
水槽３５１、清水タンク３１０、水ポンプ３３０、汚水タンク３２０及びエアポンプ３４０の間の流路チャンネルは、いずれも独立した管路で実現されてもよく、構造を簡略化するために、その他の部件と一体に設計してもよい。図３と図１０を参照すると、ベースケース１２０の両側にそれぞれ清水槽、汚水槽１２４及び排水槽１２５が設置され、汚水槽１２４の一端が水槽３５１の汚水流出口１２４１であり、他端が汚水タンク３２０に接続された汚水伝送口１２４２であり、排水槽１２５の一端が排水流入口１２５１であり、他端が水槽３５１又はスポンジコラム２１１と連通する排水流出口１２５２である。清水槽は、ケースベース１２０の汚水槽１２４に対向している側に位置し、水ポンプ３３０と連通する接続口と水槽３５１の清水流入口とを含み、その構造は汚水槽１２４の構造とほぼ同じであるため、ここで、図面において詳細な説明をしていない。ベースケース１２０の両側のサイドカバー１３０がベースケース１２０にかけられると、該清水槽、汚水槽１２４及び排水槽１２５は、全部で密封された流路チャンネルを形成し、流路の連通を実現する。
【００４１】
さらに、清掃効果を向上させるために、スポンジコラム２１１を厚く製造する可能性があり、これで、スポンジを洗浄するときに、スポンジのより奥の部分にある水を絞り出すために、絞り部材３５３がスポンジコラム２１１に大きな力を与えることが必要になり、一旦、絞り力が大きすぎると、スポンジコラム２１１の回転を妨害し、スポンジコラム２１１の正常な回転を維持するために、エネルギーの入力を増大させることが必要になり、最終的に過大なエネルギー消費を招く。
【００４２】
図１９、図２０を参照すると、本実施例は、スポンジコラム２１１を少なくとも２層、即ち外層に位置した吸水スポンジ層２１１１と内層の非吸水スポンジ層２１１２として設計し、該非吸水スポンジ層２１１２は非吸水性スポンジ材料で製造され、水分を吸収しない。吸水スポンジ層２１１１は、吸水性スポンジ材料で製造され、水分は主に外層の吸水スポンジ層２１１１に吸収されるので、水を絞る場合、外層の吸水スポンジ層２１１１にある水分を絞り出すだけでよく、外層の吸水スポンジの厚さが従来の全体的なスポンジ層より薄いので、大きな絞り力を必要とせずに水を絞ることができ、スポンジコラム２１１の回転を妨害することもない。
【００４３】
さらに、一般的に、スポンジコラム２１１はベースケース１２０内に取り付けられ、従来の円柱形スポンジコラムの両端は床面に垂直な環状面であり、ベースケース１２０の左右の２つの側壁が一定の厚さを有し、該形状のため、スポンジコラム２１１は、ベースケース１２０の、スポンジコラム２１１と隣接している左右の側壁の下方まで延伸できず、それで、ベースケース１２０の、スポンジコラム２１１と隣接している左右の側壁の下方の領域が清掃のブラインドゾーンとなる。
【００４４】
図５、図６、図１９、及び図２０を参照すると、本実施例に係るスポンジコラム２１１の両端は円錐面ａ、ｂであり、該円錐面ａ、ｂは、取り付けられると、ベースケース１２０の、スポンジコラム２１１と隣接している左右の側壁の床面に向かっている側の下方まで延伸でき、それにより該ブラインドゾーンの清掃を実現する。
【００４５】
該制御部は、制御回路が設置された回路基板とマンマシン・インタラクション・ユニットなどを含み、制御部が本願の改良の重点ではないため、ここで詳細な説明をしていない。図３にマンマシン・インタラクション・ユニットの１つとしての押しボタンのみを示す。
【００４６】
以上の内容は、具体的な実施形態と合わせて本発明をさらに詳細に説明したが、本発明の具体的な実施がこれらの説明に限定されるものではない。当業者にとって、本発明の構想から逸脱しない範囲で、複数の簡単な変形又は置き換えを行うことができる。
【図１】
0006516391.tif 000002
【図２】
0006516391.tif 000003
【図３】
0006516391.tif 000004
【図４】
0006516391.tif 000005
【図５】
0006516391.tif 000006
【図６】
0006516391.tif 000007
【図７】
0006516391.tif 000008
【図８】
0006516391.tif 000009
【図９】
0006516391.tif 000010
【図１０】
0006516391.tif 000011
【図１１】
0006516391.tif 000012
【図１２】
0006516391.tif 000013
【図１３】
0006516391.tif 000014
【図１４】
0006516391.tif 000015
【図１５】
0006516391.tif 000016
【図１６】
0006516391.tif 000017
【図１７】
0006516391.tif 000018
【図１８】
0006516391.tif 000019
【図１９】
0006516391.tif 000020
【図２０】
0006516391.tif 000021